(57)【要約】【課題】小型で任意の場所に設置することができる光ケーブル用クロージャを提供する。【解決手段】光ケーブル用クロージャ１０は、複数本の光ファイバ心線１１を収容し部分的に外被を除去した光ケーブル１２を支持するフレーム２１と、フレーム２１の長手方向両端近傍部で光ケーブル１２を把持する把持部３０と、フレーム２１及び把持部３０を光ケーブル１２とともに覆うスリーブ２０と、を有し、把持部３０が、フレーム２１に固定された固定側把持板３１と、この固定側把持板３１に対向して接近及び離反可能な移動側把持板３２とを有し、移動側把持板３２を固定側把持板３１に接近させることにより光ケーブル１２を把持する。【選択図】図１
2008096667.tif 000002
【特許請求の範囲】
【請求項１】
複数本の光ファイバ心線を収容し部分的に外被を除去した光ケーブルを支持するフレームと、前記フレームの長手方向両端近傍部で前記光ケーブルを把持する把持部と、前記フレーム及び前記把持部を前記光ケーブルとともに覆うスリーブと、を有する光ケーブル用クロージャであって、
前記把持部が、前記フレームに固定された固定側把持板と、この固定側把持板に対向して接近及び離反可能な移動側把持板とを有し、
前記移動側把持板を前記固定側把持板に接近させることにより前記光ケーブルを把持することを特徴とする光ケーブル用クロージャ。
【請求項２】
請求項１に記載の光ケーブル用クロージャであって、
前記把持板が鬼目板であることを特徴とする光ケーブル用クロージャ。
【請求項３】
請求項１または２に記載の光ケーブル用クロージャであって、
前記フレームにおける前記固定側把持板の固定位置に取り付けられるＵ字型部材と、前記移動側把持板を前記Ｕ字型部材に移動可能に支持するねじ部材と、前記Ｕ字型部材に設けられているスリットに通して当該Ｕ字型部材を前記フレームに取り付ける取り付け板とを有することを特徴とする光ケーブル用クロージャ。
【請求項４】
請求項３に記載の光ケーブル用クロージャであって、
前記スリットが複数段設けられており、前記取り付け板を取り付ける前記スリットの位置により前記フレームに対する前記Ｕ字型部材の位置を調整可能であることを特徴とする光ケーブル用クロージャ。
【発明の詳細な説明】
【技術分野】
【０００１】
本発明は光ケーブル用クロージャに係り、例えば、複数本の光ファイバ心線を収容して敷設されている幹線系光ケーブルの途中から光ファイバ心線を後分岐させる際に使用される光ケーブル用クロージャに関するものである。
【背景技術】
【０００２】
従来、複数本の光ファイバ心線を収容した幹線系光ケーブルから光ファイバ心線を分岐して、戸内等へ引き落とし、戸内にて接続等を行う場合に用いられる光ケーブル用クロージャが知られている（例えば、特許文献１参照）。
【０００３】
特許文献１に開示されている技術では、幹線系光ケーブルから分岐させた光ファイバ心線と引き落とし側の光ファイバ心線が接続され、クロージャ内において、その接続部と光ファイバ心線の余長分とを収納するための心線接続余長収納トレイを備えている。このクロージャは、幹線系光ケーブルから引き出された光ファイバ心線同士あるいは幹線系光ケーブルから引き出された光ファイバ心線と引き落とし側のドロップ光ケーブルから引き出された光ファイバ心線とを接続した接続部が収納されている。さらに、接続された光ファイバ心線の余長部分を巻回して収納する心線余長収納部を備えている。
【０００４】
ところで、光ケーブルを用いたネットワークの中で、加入者宅まで直接光ファイバを引き込むＦＴＴＨ(Fiber To The Home)の形態では、一般に加入者宅近傍に１心〜数心程度の光ケーブルが通信事業者のネットワークとして配線されている。ＦＴＴＨにおいては、この光ケーブルから必要心数（通常、加入者宅あたり１〜４心）が引き落とされて加入者宅に引き込まれる。通常、加入者宅は不特定な場所であり、このような加入者宅に光ファイバを引き込むには、既設の光ケーブルに引き落とし用のドロップ光ケーブルを接続するため、後分岐型のクロージャが用いられる（例えば、特許文献２参照）。
【０００５】
このような後分岐型のクロージャは、配線されている幹線系光ケーブルに直接取り付けられ、クロージャ内部で幹線系光ケーブルの外被を剥ぎ取り、要求される心数の光ファイバ心線を切断後、取り出し、剥ぎ取り分の余長を活用して引き落とし側のドロップ光ケーブルと接続し、収納するものである。したがって、残りの光ファイバはそのまま幹線系光ケーブルに収容された状態で下流側へ行き、別の加入者宅への引き落としに使用される。
【０００６】
【特許文献１】特開２００１−４２１５５号公報
【特許文献２】特開２００１−１７４６４５号公報
【発明の開示】
【発明が解決しようとする課題】
【０００７】
しかしながら、上記後分岐型クロージャは、加入者の需要に対して、幹線系光ケーブルの近接した箇所で引き落とすため、設置場所が不特定となる。そのため、ケーブルが多く敷設されている所に設置する必要が生じる場合があり、大きなサイズのクロージャでは既設のクロージャと干渉して邪魔になるため、望んだ位置に敷設することができなくなる。したがって、クロージャはできるだけ小さいサイズが望まれる。従来のクロージャでは、幹線系光ケーブルを把持する部分が、ケーブルの外被に対して対向する２方向から把持部材を接近させる構造となっており、その移動する長さ分を確保することがクロージャの大型化を招いていた。
【０００８】
そこで、本発明の目的は、小型で任意の場所に設置することができる光ケーブル用クロージャを提供することにある。
【課題を解決するための手段】
【０００９】
上記課題を解決することのできる本発明に係る光ケーブル用クロージャは、複数本の光ファイバ心線を収容し部分的に外被を除去した光ケーブルを支持するフレームと、前記フレームの長手方向両端近傍部で前記光ケーブルを把持する把持部と、前記フレーム及び前記把持部を前記光ケーブルとともに覆うスリーブと、を有する光ケーブル用クロージャであって、前記把持部が、前記フレームに固定された固定側把持板と、この固定側把持板に対向して接近及び離反可能な移動側把持板とを有し、前記移動側把持板を前記固定側把持板に接近させることにより前記光ケーブルを把持することを特徴とする。
【００１０】
本発明に係る光ケーブル用クロージャにおいて、前記把持板が鬼目板であることが好ましい。
【００１１】
また、本発明に係る光ケーブル用クロージャにおいて、前記フレームにおける前記固定側把持板の固定位置に取り付けられるＵ字型部材と、前記移動側把持板を前記Ｕ字型部材に移動可能に支持するねじ部材と、前記Ｕ字型部材に設けられているスリットに通して当該Ｕ字型部材を前記フレームに取り付ける取り付け板とを有することが好ましい。
【００１２】
また、本発明に係る光ケーブル用クロージャにおいて、前記スリットが複数段設けられており、前記取り付け板を取り付ける前記スリットの位置により前記フレームに対する前記Ｕ字型部材の位置を調整可能であることが好ましい。
【発明の効果】
【００１３】
本発明に係る光ケーブル用クロージャによれば、スリーブ内のフレームの両端部に設けられている把持部によって光ケーブルを把持し、両把持部の間において光ケーブル内の所望の光ファイバ心線を引き出して引き落とし側の光ファイバ心線と接続する。把持部においては、一方の固定側把持板がフレームに固定されるとともに、他方の移動側把持板のみが固定側把持板に対向して接近及び離反可能となっているため、従来のように両側の把持板が移動する場合よりも小型化を図ることができ、光ケーブル用クロージャの設置自由度が向上する。したがって、幹線系光ケーブルの途中から光ファイバを後分岐させる際に使用する光ケーブル用クロージャとして好適である。
【発明を実施するための最良の形態】
【００１４】
以下、本発明に係る光ケーブル用クロージャの実施形態の例を図面に基づいて詳細に説明する。
図１は本実施形態の光ケーブル用クロージャ（以下、クロージャと呼ぶ）の分解図、図２はスリーブを取り付けた状態のクロージャを示す各平面図、図３はフレームに固定された固定側把持板を示す各平面図、図４はＵ字型部材の各平面図、図５は取り付け板の平面図、図６は光ケーブルを把持部に把持させる手順を示す平面図である。
【００１５】
図１に示すように、本実施形態のクロージャ１０は、複数本の光ファイバ心線１１を収容して架空に敷設された幹線系の光ケーブル１２に取り付けられるものであり、部分的に外被を除去した光ケーブル１２を支持するフレーム２１と、フレーム２１の長手方向両端近傍部で光ケーブル１２を把持する把持部３０と、フレーム２１及び把持部３０を光ケーブル１２とともに覆うスリーブ２０と、を備えている。そして、把持部３０が、フレーム２１に固定された固定側把持板３１と、この固定側把持板３１に対向して接近及び離反可能な移動側把持板３２とを有し、移動側把持板３２を固定側把持板３１に接近させることにより光ケーブル１２を把持するようになっている。
【００１６】
図２において、（Ａ）はクロージャの平面図、（Ｂ）はクロージャの正面図、（Ｃ）はクロージャの端面図である。
図２に示すように、スリーブ２０は樹脂製の断面略矩形状（図２（Ｃ）参照）の筒状の部材であり、内部にフレーム２１及び把持部３０を光ケーブル１２とともに収容する空間を有するとともに長手方向の両端面に開口部２０ｄが形成されている。スリーブ２０の上面中央部は、肉厚が薄くされて弾性変形可能であるヒンジ部２０ａが設けられている。また、下面には長手方向全長にわたって切れ目２０ｂが形成されており、ヒンジ部２０ａを撓ませてスリーブ２０を開くことができ、なおかつ使用時には略密閉状態に閉じて留め具２４によって留めることができるようになっている。また、両端の開口部２０ｄ周辺には開口部２０ｄがグロメット２３に対応した形状となるように壁２０ｃが設けられており、この壁２０ｃより内側でグロメット２３を密閉状態で取り付け可能となっている。
【００１７】
図１に示すように、グロメット２３は、例えば耐水性を有するゴム製であり、中央には円形の開口２３ａが設けられている。光ケーブル１２は、クロージャ両端に取り付けられたグロメット２３の開口２３ａを通って、スリーブ２０の内部空間に挿通されている。また、開口２３ａは小さな外径の光ケーブル１２から大きな外径の光ケーブル１２に対応できるように、複数種の内径の開口２３ａが軸方向に所定間隔で略同心円状または偏心円状に形成されている。これにより、外径が異なる光ケーブル１２を収容する場合でも、同じグロメット２３を用いて、クロージャ両端からの水や埃等の侵入を防止できる。
また、グロメット２３には、引き落とし用のドロップ光ケーブル１３を挿通して防水を図るための挿通孔も複数設けられている。
【００１８】
図１に示すように、スリーブ２０の内部空間には、内部空間の略全長にわたる長さのフレーム２１が収容されている。このフレーム２１は、例えば断面コ字状の金属製の板部材であり、開口を下向きにして用いられている。また、フレーム２１の両端に、光ケーブル１２を把持する把持部３０が設けられており、両把持部３０間で光ケーブル１２の外被が除去されている。この外被が除去された部分から、後分岐される光ファイバ心線１１が引き出され、所定の長さで切断されてドロップ光ケーブル１３の光ファイバ心線と接続される。引き出されて切断された光ファイバ心線１１と、ドロップ光ケーブル１３の光ファイバ心線とは、例えば融着により接続され、その接続部１４はフレーム２１の天板２１ａの中央部上面に設けられた接続部固定用の凹部等に嵌め込まれて固定される。また、天板２１ａの中央部上面には、接続部１４を覆って保護する接続部収納部を設けてもよい。ドロップ光ケーブル１３は、グロメット２３の挿通孔を通してスリーブ２０の外へ導出され、ＦＴＴＨの加入者宅まで引き込まれる。
【００１９】
図３〜図５に、把持部３０を示す。図３はフレームに固定された固定側把持板を示し、（Ａ）はフレームの端面図、（Ｂ）は（Ａ）中矢印Ｂ方向から見た底面図である。
図３に示すように、フレーム２１の天板２１ａの下面には、一方の把持板である固定側把持板３１がネジ３１ｂ等の固定手段によって固定されている。固定側把持板３１は、断面円形の光ケーブル１２を把持するものであり、光ケーブル１２の軸方向に沿って左右両縁端が下方へ湾曲して光ケーブル１２の外被に接触する面積を大きくしている。フレーム２１の天板２１ａの下面には、固定側把持板３１の左右両側に位置決め突起２５が設けられており、光ケーブル１２を把持した際に固定側把持板３１の位置がずれないようにしている。この位置決め突起２５は、フレーム２１の天板２１ａを切り起こして形成するとよい。なお、固定側把持板３１には、下向きに爪３１ａが突出した鬼目板を用いるのが望ましい。これにより、爪３１ａが光ケーブル１２の外被に食い込んで、光ケーブル１２を確実に保持することができる。
【００２０】
図４は把持部３０のＵ字型金具を示し、（Ａ）は正面図、（Ｂ）及び（Ｃ）は側面図、（Ｄ）は（Ａ）中矢印Ｄ方向から見た平面図である。
図４に示すように、移動側把持板３２は、開口を上にしたＵ字形状のＵ字型部材３３の内側に、上下移動可能に設けられている。例えば、Ｕ字型部材３３に底部を貫通するネジ穴３３ａを設け、このネジ穴３３ａに螺合するネジ部材３４の頂部に移動側把持板３２を取り付けておく。これにより、ネジ部材３４を回転させることにより移動側把持板３２を上下移動（固定側把持板３１に対向して接近及び離反）させることができ、移動側把持板３２を固定側把持板３１に接近させることで、固定側把持板３１との協働により、光ケーブル１２を把持することができる。
【００２１】
なお、移動側把持板３２も、固定側把持板３１と同様に、爪３２ａを備えた鬼目板を用いることが望ましい。固定側把持板３１と移動側把持板３２が鬼目板であれば、把持した光ケーブル１２に張力が作用しても安定した把持力を発揮できる。
【００２２】
なお、移動側把持板３２は、断面円形の光ケーブル１２を把持しやすいように、固定側把持板３１に対応して、左右両縁端を上方へ湾曲させている。また、ネジ部材３４の下端部には六角穴３４ａが設けられ、六角レンチを六角穴３４ａに差し込んでネジ部材３４を回転させることができる。これにより、手指だけでネジ部材３４を回転させるより大きなトルクを得ることができ、光ケーブル１２の把持力を高めることができるとともに、ネジ部材３４には取手のような部材を設ける必要がなく、構造が簡潔になる。また、スリーブ２０の下面にネジ部材３４の下部が貫通する孔を設けるようにすることにより、スリーブ２０の径方向の大きさを小さくすることができる。この場合、ネジ部材３４用の孔はスリーブ２０の下面に設けられるため、クロージャ１０を架空に敷設した状態でも防水性において問題とはならない。
【００２３】
また、Ｕ字型部材３３の開口の間隔は、フレーム２１の幅よりも若干大きめとなっており、Ｕ字型部材３３の内側にフレーム２１を入れることができる。また、Ｕ字型部材３３の左右の上端部には、各々複数段（本実施形態では２段）のスリット３５ａ，３５ｂが左右で同じ高さ位置に設けられている。これにより、取り付け板３６（図５参照）を取り付けるスリット３５ａ，３５ｂの位置を選択することにより、外径が異なる光ケーブル１２（例えば、８ｍｍ〜３０ｍｍ）に対して、移動側把持板３２のネジ部材３４の長さを特に長くすることなく、確実に光ケーブル１２を把持することができることになる。また、一方のスリット３５ａの幅は、他方のスリット３５ｂの幅よりも大きく形成しておく。
【００２４】
図５は取り付け板を示し、（Ａ）は平面図、（Ｂ）は側面図である。
把持部３０は、図５に示すように、幅が大きい方のスリット３５ａに挿通することができ、かつ、幅が狭くなっている先端部３６ａのみが幅の小さなスリット３５ｂに挿通可能な形状をした取り付け板３６を備えている。取り付け板３６を、先端部３６ａ側から幅の大きいスリット３５ａへ外側から挿入し、先端部３６ａを幅の狭いスリット３５ｂに挿入する。幅の大きい幅広部３６ｂは幅の狭いスリット３５ｂには挿入できないため、容易に位置決めすることができる。なお、フレーム２１に固定側把持板３１を取り付けるためのネジがフレーム２１の天板２１ａの上面から突出しており、取り付け板３６の対応する位置に貫通孔３６ｃや凹部を設けて干渉しないようにするとともに、取り付け板３６をフレーム２１に対して位置決めすることができる。
【００２５】
図６（Ａ）〜（Ｄ）に、フレーム２１に光ケーブル１２を把持する手順を示す。まず、図６（Ａ）に示すように、移動側把持板３２を下げた状態でＵ字型部材３３をフレーム２１の下方へ配置し、フレーム２１の固定側把持板３１と移動側把持板３２の間に光ケーブル１２を配置する。そして、図６（Ｂ）に示すように、Ｕ字型部材３３の内側に光ケーブル１２を収容するようにＵ字型部材３３とフレーム２１を相対的に接近させて、Ｕ字型部材３３の上端部のスリット３５ａ，３５ｂが少なくとも１段フレーム２１の天板２１ａよりも上方へ突出するようにする。その後、図６（Ｃ）に示すように、フレーム２１よりも上方の幅広のスリット３５ａの外側から取り付け板３６を挿入し、取り付け板３６の先端部３６ａを幅狭のスリット３５ｂに挿入して、Ｕ字型部材３３を取り付ける。
【００２６】
最後に、図６（Ｄ）に示すように、ネジ部材３４を回転させて移動側把持板３２を上昇させ、固定側把持板３１との協働で光ケーブル１２を把持して固定する。このとき、固定側把持板３１及び移動側把持板３２の爪３１ａ，３２ａが、光ケーブル１２の外被に食い込むようにする。また、移動側把持板３２を持ち上げることにより、光ケーブル１２を介して固定側把持板３１が持ち上げられることになるので、取り付け板３６はスリット３５ａ，３５ｂ内に押圧され、別の係止手段等がなくてもＵ字型部材３３から脱落することはない。特に、フレーム２１の天板２１ａから上方に、固定側把持板３１を固定しているネジ３１ｂが突出している場合には、取り付け板３６の対応する位置に貫通孔３６ｃ等を設けることにより、確実に取り付け板３６の脱落を防止することができる。
【００２７】
以上説明したクロージャ１０によれば、光ケーブル１２を把持する把持部３０は、固定側把持板３１がフレーム２１に固定されるとともに、他方の移動側把持板３２のみを移動可能としているので、従来のように両把持板３１，３２が移動する場合よりも小型化を図ることができる。これにより、クロージャ１０の設置自由度が向上するため、ケーブルが多く敷設されている所で後分岐を行う場合でも、既設のクロージャと干渉せず所望の位置に敷設することができる。
また、Ｕ字型部材３３に複数段のスリット３５を設けてＵ字型部材３３の取り付け位置を上下調整可能としたので、外径の異なる光ケーブル１２にも対応しやすく、移動側把持板３２を移動させるネジ部材３４の長さを短くすることができ、クロージャ１０をコンパクトにすることができる。
【図面の簡単な説明】
【００２８】
【図１】本発明の光ケーブル用クロージャに係る実施形態の例を示す分解図である。
【図２】スリーブを取り付けた状態のクロージャを示し、（Ａ）は平面図、（Ｂ）は正面図、（Ｃ）は端面図である。
【図３】フレームに固定された固定側把持板を示し、（Ａ）はフレームの端面図、（Ｂ）は（Ａ）中矢印Ｂ方向から見た底面図である。
【図４】把持部のＵ字型金具を示し、（Ａ）は正面図、（Ｂ）及び（Ｃ）は側面図、（Ｄ）は（Ａ）中矢印Ｄ方向から見た平面図である。
【図５】取り付け板を示し、（Ａ）は平面図、（Ｂ）は側面図である。
【図６】光ケーブルを把持部に把持させる手順を示す平面図である。
【符号の説明】
【００２９】
１０  光ケーブル用クロージャ
１１  光ファイバ心線
１２  光ケーブル
１４  接続部
２０  スリーブ
２１  フレーム
３０  把持部
３１  固定側把持板
３２  移動側把持板
３３  Ｕ字型部材
３４  ねじ部材
３５ａ，３５ｂ  スリット
３６  取り付け板
【図１】
2008096667.tif 000003
【図２】
2008096667.tif 000004
【図３】
2008096667.tif 000005
【図４】
2008096667.tif 000006
【図５】
2008096667.tif 000007
【図６】
2008096667.tif 000008